(57)【要約】      （修正有）【課題】箱わなの踏み板の簡便な大物獣捕獲装置を提供する。【解決手段】箱わな６の長さの真ん中の地点に、踏み板１を設置し下には穴を掘る。獲物が踏み板１に上るとワイヤー４が作動して、延長線上にある扉が落ちて閉まる簡便な装置である。【選択図】図２
0003134573.tif 000002
【実用新案登録請求の範囲】
【請求項１】
箱わなの両方の扉から離れた中央の下に穴を掘り、その上に仕掛けの踏み板を設置し、踏み板の真上の天井に、餌入りの金網かごを複数吊り下げ、床の餌箱に餌を入れ猪を踏み板の上におびき寄せ、踏み板は常時、正常な水平状態を保ち、ワイヤーに締め金具で連結した強力な複数のスプリングで、踏み板の下の溝に合わせたワイヤーを、突起から引き寄せて引っ張り、獲物が踏み板に上ると、重量で踏み板が軸を基点に反転しワイヤーを作動させ、その延長線上にあるローラーが滑り止め具が外れ、同時に扉が連動して落ちて閉まる、踏み板と餌の密接な２つの組み合わせで、獲物を捕獲する箱わな踏み板の装置。。
【請求項２】
踏み板の裏側にアサハールトを塗布する箱わな踏み板の装置。。
【考案の詳細な説明】
【技術分野】
【０００１】  本考案は、箱わなの踏み板の装置に関するものでる。
【背景技術】
【０００２】  従来は，踏み板の下の止め金や，支え棒が外れ、ワイヤーが作動して扉が閉まるという仕組みのものであった。
【考案の開始】
【考案が解決使用とする課題】
【０００３】  踏み板の下の止め金や，支え棒の小道具は、サビついたり、雨や雪で故障し機能を果たせないこともある。従って、簡潔にワイヤーの上に踏み板をの乗せワイヤーを扉に直結させることにより、前述の欠点を解決しようとするものである。
【課題を解決するたえめの手段】
【０００３】  ワイヤーの上に、踏み板を下の溝に合わせて乗せ、ワイヤーを扉に直結させることにより、踏み板の反転の作動で扉は閉まる、きわめて簡潔な手段によるものである。
【考案の効果】
【０００４】  スプリングを利用してワイヤーを張り、踏み板を水平状態に保ち、上に獲物が乗ると、踏み板が下に反転しワイヤーを引っ張り、連動して扉が閉まるという簡便な方法である。
【考案を実施する為の最良の形態】
【０００５】  両方の扉からもっとも距離のある長さの中央の下に穴を掘り、その上に仕掛けの踏み板を設置し、踏み板の真上の天井に餌入りの金網かごを複数吊り下げ、床の餌箱に餌を入れ猪を踏み板の上におびき寄せ、踏み板は常時、正常な水平状態を保つようにワイヤーに連結した強力な複数のスプリングで踏み板の下の溝に合わせたワイヤーを引っ張って張り、獲物が踏み板に上ると重量で、踏み板が軸を基点に反転しワイヤーを作動させ、その延長線上にある扉が連動して落ちて閉まる。踏み板と餌の密接な２つの組み合わせで、獲物を捕獲する箱わな踏み板の装置である。。
【実施例】
【０００６】  以下、添付図面に従って説明する。６の箱わなの長さの真ん中あたりの下に２の穴を掘り、その上に１の踏み板を両方から設置する。【０００７】  １の踏み板をなんらかの事情で作動させたくないときは、１の踏み板の下に９の受け具を１０の支え器具にあてがって装置する。【０００８】  ４のワイヤーを８のスプリングで引っ張り、１の踏み板を常時、正常な水平状態に保つ。【０００９】    １の踏み板は１３の軸を基点に上に獲物が乗ると下向きに反転し、１の踏み板の下側の１４の溝に接触する４のｌワイヤーを作動させ、その延長線上の３の扉と、１の踏み板の中間に設置される２３の止め具が外れ、３の扉が落ちて閉まる。【００１０】  ９の受け具には獲物が１の踏み板の上に乗っても微妙な物音も発生しないように、１５のゴムシートを巻く。【００１１】  １の踏み板の裏側には金属板がより丈夫なように、１６の折り返しを施す。【００１２】  １０の支え器具には当然のことながら９の受け具に必要な１７の孔を設置する。【００１３】  ８のスプリングを４のワイヤーに、１８の締め付け金具で接合し、８のスプリングの片方をは１２の突起に引きかけて４のワイヤーを張る。【００１４】  ４のワイヤーは１１のワイヤー止め輪をの中に通し、６の箱わなの壁面を立ち上がらせる。【００１５】  １の踏み板の上に獲物を、おびき寄せる重要な手段として、好物の１９の金網入り餌を２０の天井に吊るし、床には７の餌箱を設置する。【００１６】  １の踏み板は、２１の箱わなの継ぎ目を境に設置する。【００１７】  ２３の止め具は２２のローラーを用いてスムズーに作動させる。【００１８】  １の踏み板の金属板が獲物が上って音を発しないように裏側にアサハールトを塗布する。
【図面の簡単な説明】
【００１９】
【図１】  箱わなの側面図である。
【図２】  箱わなの平面図である。
【図３】  踏み板の設置状態を示す正面図である。
【図４】  踏み板の側面図である。
【図５】  踏み板の斜視側図である。
【図６】  踏み板の裏側の斜視側図である。
【図７】  受け具の支え器具の斜視側図である。
【図８】  スプリング使用状態を示す詳細図である。
【図９】  金網の餌かごを吊るした正面図である。
【図１０】  踏み板の側面図である。
【図１１】  止め具トローラーの正面図である。
【図１２】  止め具トローラーの側面図である。
【図１３】  踏み板の裏のアサハ−ルトの正面図である。
【符号の説明】
【００２０】  １  踏み板
２  穴
３  扉
４  ワイヤー
５  扉の枠
６  箱わな
７  餌箱
８  スプリング
９  受け具
１０  支え器具
１１  ワイヤー止め輪
１２  突起
１３  踏み板の軸
１４  溝
１５  ゴムシート
１６  踏み板の裏側の折り返し
１７  孔
１８  締め金具
１９  餌入り金網かご
２０  天井
２１  箱わなの継ぎ目
２２  ローフー
２３  止め具
２４  ネジ
２５  アサハールト
【図１】
0003134573.tif 000003
【図２】
0003134573.tif 000004
【図３】
0003134573.tif 000005
【図４】
0003134573.tif 000006
【図５】
0003134573.tif 000007
【図６】
0003134573.tif 000008
【図７】
0003134573.tif 000009
【図８】
0003134573.tif 000010
【図９】
0003134573.tif 000011
【図１０】
0003134573.tif 000012
【図１１】
0003134573.tif 000013
【図１２】
0003134573.tif 000014
【図１３】
0003134573.tif 000015
【手続補正書】
【提出日】平成18年11月24日(2006.11.24)
【手続補正２】
【補正対象書類名】実用新案登録請求の範囲
【補正対象項目名】全文
【補正方法】追加
【補正の内容】
【実用新案登録請求の範囲】
【請求項１】
箱わなの両方の扉から離れた中央の下に穴を掘り、その上に仕掛けの踏み板を設置し、踏み板の真上の天井に、餌入りの金網かごを複数吊り下げ、床の餌箱に餌を入れ猪を踏み板の上におびき寄せ、踏み板は常時、正常な水平状態を保ち、ワイヤーに締め金具で連結した強力な複数のスプリングで、踏み板の下の溝に合わせたワイヤーを、突起から引き寄せて引っ張り、獲物が踏み板に上ると、重量で踏み板が軸を基点に反転しワイヤーを作動させ、その延長線上にあるローラーが滑り、止め具は外れ同時に扉が連動して落ちて閉まる、踏み板と餌の密接な二つの組み合わせで、獲物を捕獲する箱わな踏み板の装置。
【請求項２】
踏み板の裏側にアサハールトを塗布する請求項１記載の箱わな踏み板の装置。
【請求項３】
軸を踏み板の真ん中に施し、両端の孔にワイヤーを設置する請求項１または２記載の箱わな踏み板の装置。
【手続補正３】
【補正対象書類名】明細書
【補正対象項目名】図１４
【補正方法】追加
【補正の内容】
【図１４】
踏み板の側面図である。
【手続補正４】
【補正対象書類名】明細書
【補正対象項目名】図１５
【補正方法】追加
【補正の内容】
【図１５】
踏み板の裏面図である。
【手続補正５】
【補正対象書類名】図面
【補正対象項目名】図１４
【補正方法】追加
【補正の内容】
【図１４】
0003134573.tif 000016
【手続補正６】
【補正対象書類名】図面
【補正対象項目名】図１５
【補正方法】追加
【補正の内容】
【図１５】
0003134573.tif 000017
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
箱わなの両方の扉から離れた中央の下に穴を掘り、その上に仕掛けの踏み板を設置し、踏み板の真上の天井に、餌入りの金網かごを複数吊り下げ、床の餌箱に餌を入れ猪を踏み板の上におびき寄せ、踏み板は常時、正常な水平状態を保ち、ワイヤーに締め金具で連結した強力な複数のスプリングで、踏み板の側面の孔に通したワイヤーを、突起から引き寄せて引っ張り、獲物が踏み板に上ると、重量で踏み板が軸を基点に反転しワイヤーを作動させ、その延長線上にあるローラーが滑り、止め具は外れ同時に扉が連動して落ちて閉まる、踏み板と餌の密接な二つの組み合わせで、獲物を捕獲する箱わな踏み板の装置。
【請求項２】
踏み板の裏側にアサハールトを塗布する請求項１記載の箱わな踏み板の装置。
【請求項３】
軸を踏み板の真ん中に施し、両端の孔にワイヤーを設置する請求項１または２記載の箱わな踏み板の装置。
【手続補正２】
【補正対象書類名】明細書
【補正対象項目名】図１４
【補正方法】追加
【補正の内容】
【図１４】
踏み板の側面図である。
【手続補正３】
【補正対象書類名】明細書
【補正対象項目名】図１５
【補正方法】追加
【補正の内容】
【図１５】
踏み板の裏面図である。
【手続補正４】
【補正対象書類名】明細書
【補正対象項目名】図１６
【補正方法】追加
【補正の内容】
【図１６】
踏み板の側面図である。
【手続補正５】
【補正対象書類名】図面
【補正対象項目名】図１６
【補正方法】追加
【補正の内容】
【図１６】
0003134573.tif 000018
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
箱わなの両方の扉から離れた中央の下に穴を掘り、その上に仕掛けの踏み板を設置し、踏み板の真上の天井に、餌入りの金網かごを複数吊り下げ、床の餌箱に餌を入れ猪を踏み板の上におびき寄せ、踏み板は常時、正常な水平状態を保ち、ワイヤーに締め金具で連結した強力な複数のスプリングで、踏み板の側面の孔に通したワイヤーを、突起から引き寄せて引っ張り、獲物が踏み板に上ると、重量で踏み板が軸を基点に反転しワイヤーを作動させ、その延長線上にあるローラーが滑り、止め具は外れ同時に扉が連動して落ちて閉まる、踏み板と餌の密接な二つの組み合わせで、獲物を捕獲する箱わな踏み板の装置。
【請求項２】
踏み板の裏側にアサハールトを塗布する請求項１記載の箱わな踏み板の装置。
【請求項３】
軸を踏み板の真ん中に施し、両端の孔にワイヤーを設置する請求項１または２記載の箱わな踏み板の装置。
【請求項４】
踏み板の両端の孔に軸とワイヤーを通す請求項１または３記載の箱わな踏み板の装置。
【手続補正２】
【補正対象書類名】明細書
【補正の内容】
0003134573.tif 000019
【手続補正３】
【補正対象書類名】図面
【補正対象項目名】図１７
【補正方法】追加
【補正の内容】
【図１７】
0003134573.tif 000020